(57)【要約】【課題】防護マスクとともに着用した防護服の気密性を高めるシール具の提供。【解決手段】シール具３が防護マスク１の後方周縁部１４と、周縁部１４に重なる防護服２の前方開口周縁部２６とに対して使用される。シール具３は、長さ方向において湾曲と屈曲とのいずれかを繰り返す帯状のもので、長さ方向と幅方向とに伸長収縮可能かつ長さ方向の両端部が互いに離脱可能に係合して環状になる。環状になったシール具３は、その幅方向において、防護服の前方開口周縁部と、その前方開口周縁部の前方に位置する防護マスクの一部分とに対して、前方開口周縁部の径方向の外側から弾性的な収縮力の作用下に圧接できる。【選択図】図２
2015167661.tif 000002
【特許請求の範囲】
【請求項１】
前後方向を有し、後方に向かって延びる面体の後方周縁部を顔面に当接させて着用した防護マスクと、顔面を露出させるためのフードの前方開口周縁部を前記後方周縁部に重ねて着用した防護服とに対して使用されて、前記後方周縁部と前記前方開口周縁部とを密着させることのできる防護マスク用のシール具であって、
前記シール具は、長さ方向と幅方向と厚さ方向とを有し、前記長さ方向において湾曲と屈曲とのいずれかを繰り返す帯状のものであって、前記長さ方向と前記幅方向とにおいて弾性的に伸長収縮可能かつ前記長さ方向の両端部が互いに離脱可能に係合して環状になるものであり、
前記シール具はまた、前記防護マスクの所要部位に取り付け取り外し可能に形成されていて、前記所要部位に取り付けた状態で前記環状になると、前記幅方向において、前記防護マスクの前記後方周縁部に重なる前記防護服の前記前方開口周縁部と前記前方開口周縁部の前方に位置する前記防護マスクの一部分とに対して前記前方開口周縁部の径方向の外側から弾性的な収縮力の作用下に圧接できることを特徴とする前記シール具。
【請求項２】
前記両端部のうちの一方にはボタンが形成され、前記両端部のうちのもう一方には前記ボタンに対するボタン穴が形成されていて、前記ボタンと前記ボタン穴とによって前記両端部を係合させると前記環状になる請求項１記載のシール具。
【請求項３】
前記防護マスクの前記一部分が前記防護マスクにおける眼ガラスの周縁部に取り付けられているサッシュ部材である請求項１または２記載のシール具。
【請求項４】
前記防護マスクの前記一部分が前記防護服の前記前方開口周縁部よりも前方に位置する前記防護マスクの前記後方周縁部である請求項１または２記載のシール具。
【請求項５】
前記シール具は、前記サッシュ部材が嵌合可能な溝部を有する請求項３記載のシール具。
【請求項６】
前記シール具には、前記防護マスクの前記所要部位に対しての取り付け部が形成され、前記防護マスクのヘッドバンドに対して使用されている連結環に対して前記取り付け部が挿入可能である請求項１−５のいずれかに記載のシール具。
【請求項７】
前記シール具は、それが圧接している前記防護服の前記前方開口周縁部を透視することができるように、少なくとも一部分が透明である請求項１−６のいずれかに記載のシール具。
【発明の詳細な説明】
【技術分野】
【０００１】
本発明は、防護マスクとともに着用した防護服の気密性を高めるのに好適なシール具に関する。
【背景技術】
【０００２】
外気が有毒ガスや粉塵等の有害物質を含む環境下において皮膚や頭髪、着衣等を露出させることがないように着用する防護マスクと防護服とは、従来周知である。また、防護マスクと防護服とを併せて着用するのに好適な構造を有する防護マスクや防護服も従来公知である。
【０００３】
例えば、特許第４４６５５５４号公報（特許文献１）に記載のマスクアセンブリは、フルフェイス型のマスクとフードとを有する。マスクは、着用者の顔面に密着する外周縁部の外面にリブを有し、フードは顔面を露出させる開口縁に環状部材を有する。環状部材の内周面には、マスクのリブに離脱可能に嵌合する溝部が形成されている。
【０００４】
特開２００８−１９４０９３号公報（特許文献２）に記載の防護衣は、防護マスクと共に着用するものである。防護マスクは、透視レンズの周縁に沿って延びる枠部材を有し、枠部材と面体との間には溝が形成されている。防護衣は、その第１被覆部に透視レンズを露出させる開口部が形成され、開口部の周縁部分が弾性的に伸長して、防護マスクの溝に挿入される第１環状部分と、第１環状部分と協働して枠部材を挟むことが可能な第２環状部分とを有する。これら枠部材と第１，第２環状部分との協働作用によって、防護衣が防護マスクに取り付けられる。
【０００５】
特許第５０１１１２０号公報（特許文献３）に記載の防護用シール機構は、ガスマスクとフードとに対して適用される。このシール機構では、ガスマスクにおけるバイザーに使用されたフレーム用リングを介して、フードがガスマスクに取り付けられている。
【０００６】
特表２００６−５２６４３６号公報（特許文献４）に記載のフードは、顔開口部に弾性縁部を有し、その弾性縁部は、フードの内側に着用されている防毒マスクに対しての周縁シールエレメントを有する。シールエレメントは弾性的に変形することのできる材料からなり、防毒マスクに対して線状で当接する。
【０００７】
また、着用した防毒マスクにおける後方周縁部と、防護服のフードにおいて顔面を露出させるために用意された開口の周縁部とを重ね合わせ、それら後方周縁部と開口周縁部とにまたがるように養生テープと呼ばれる粘着テープを貼って開口周縁部を気密状態で閉じることも慣用技術として知られている。
【先行技術文献】
【特許文献】
【０００８】
【特許文献１】特許第４４６５５５４号公報
【特許文献２】特開２００８−１９４０９３号公報
【特許文献３】特許第５０１１１２０号公報
【特許文献４】特表２００６−５２６４３６号公報
【発明の概要】
【発明が解決しようとする課題】
【０００９】
前記従来技術のうちで、例えば特許文献１−３に記載の発明では、防護マスクと、その防護マスクに組み付け可能に形成された防護服とが必要となる。すなわち、これらの発明で使用可能な防護マスクと防護服とは、それら両者のために設計された固有の取り付け構造を有するものに限られる。したがって、これらの発明は、どのような防護服においても実施することができるというものではない。また、特許文献４に記載の発明のフード（防護服）は、防毒マスクの顔開口部の周縁に対して、防毒マスクの前方外側から圧接させる環状のシールエレメントを有する。フードはまた、それを着用するときに使用する密閉止め具等の止め具やフードの位置調整のために使用するタブを有する。その止め具は、好ましくは顔面開口部の側部に位置するもので、この止め具だけでシールエレメントの全周を防護マスクの顔面開口部に密着させることは難しい。
【００１０】
防護服に対して養生テープを使用する従来技術では、防護マスクや防護服に対して、養生テープの粘着性が作用しないという場合がある。例えば、養生テープを貼るべき部位が水で濡れていたり、シリコンゴムで形成されていたりする場合である。
【００１１】
そこで、本発明が課題とするところは、防護マスクとともに着用した防護服における前方開口周縁部の気密性を高めることが容易なシール具を提供することにある。
【課題を解決するための手段】
【００１２】
前記課題を解決するために、本発明が対象とするのは、前後方向を有し、後方に向かって延びる面体の後方周縁部を顔面に当接させて着用した防護マスクと、顔面を露出させるためのフードの前方開口周縁部を前記後方周縁部に重ねて着用した防護服とに対して使用されて、前記後方周縁部と前記前方開口周縁部とを密着させることのできる防護マスク用のシール具である。
【００１３】
本発明が特徴とするところは、前記シール具が、長さ方向と幅方向と厚さ方向とを有し、前記長さ方向において湾曲と屈曲とのいずれかを繰り返す帯状のものであって、前記長さ方向と前記幅方向とにおいて弾性的に伸長収縮可能かつ前記長さ方向の両端部が互いに離脱可能に係合して環状になるものであり、前記シール具がまた、前記防護マスクの所要部位に取り付け取り外し可能に形成されていて、前記所要部位に取り付けた状態で前記環状になると、前記幅方向において、前記防護マスクの前記後方周縁部に重なる前記防護服の前記前方開口周縁部と前記前方開口周縁部の前方に位置する前記防護マスクの一部分とに対して前記前方開口周縁部の径方向の外側から弾性的な収縮力の作用下に圧接できること、にある。
【発明の効果】
【００１４】
本発明に係るシール具は、防護マスクに対して取り外し可能に取り付けられていて、長さ方向と幅方向とにおいて弾性的に伸長収縮することが可能なものであり、環状の形で使用される。防護マスクと防護服とを着用するときに、顔面に当接している防護マスクの後方周縁部に対して防護服において顔面を露出させるために用意されている前方開口の周縁部を重ねると、前方開口における径方向の外側からシール具をその重ねた部位に対して、圧接させることができて、防護マスクの後方周縁部と防護服の前方開口周縁部とを密着させることができる。それゆえ、着用した防護服における前方開口周縁部の気密性を高め、外気が防護服の内側に侵入することを防ぐことができる。長さ方向において湾曲と屈曲とのいずれかを繰り返すシール具は、それを防護マスクに取り付けて使用したときに、眼ガラスを広く覆って視野を狭くするということがない。
【図面の簡単な説明】
【００１５】
以下の図面は、本発明の実施形態を例示するとともに、本発明に不可欠な構成および選択的に実施することのできる形態を示している。
【図１】防護マスクと防護服との着用状態を示す図。
【図２】図１の部分拡大図。
【図３】シール具の使用方法を示す図２の部分破断図。
【図４】シール具の部分破断斜視図。（ａ）はシール具の外面側を示し、（ｂ）はシール具の内面側と、その内面側の拡大した一部分とを示す。
【図５】図２のＶ−Ｖ線切断面を示す図。
【図６】実施態様の一例であるシール具の部分破断斜視図。
【図７】図６のシール具の使用状態を示す図５と同様な図。
【発明を実施するための形態】
【００１６】
添付の図面を参照して、本発明に係る防護マスク用のシール具の詳細を説明すると、以下のとおりである。
【００１７】
図１，２は、本発明に係る防護マスク用のシール具３の使用対象である防護マスク１と防護服２とが着用状態にあるときの正面図と部分拡大図とであって、防護マスク１の前後方向と、横方向と、上下方向とが双頭矢印Ａ，Ｂ，Ｃで示されている。
【００１８】
図示例の防護マスク１は、フルフェイス型のものであるが、図２では付属部品である一対のフィルタユニット６ａのうちの一方が取り外された状態で示されている。防護マスク１は、合成ゴムや天然ゴム等の弾性材料で形成されていて、着用者Ｗの顔面５に前方からフィットする面体７と、硬質の透明プラスチックで形成されていて顔面５を前方から保護する眼ガラス８とが環状のサッシュ部材９を介して一体化されている。眼ガラス８は、顔面５から前方へ突出するようにドーム型に作られていて、その眼ガラス８の周縁に嵌合しているサッシュ部材９は、弧を画く頂辺１０ａと、頂辺１０ａの両端部それぞれに位置する角部１０ｂとを有し、ほぼ五角形またはほぼ六角形ということのできる多角形のものに作られている。また、着用者の頭部は防護服２におけるフード２１で覆われている（図３参照）。これら防護マスク１とフード２１とに対して、シール具３が環状に延びた状態で密着している。
【００１９】
防護マスク１において、眼ガラス８には、フィルタユニット６ａが取り付けられている他に、正面中央に通気性のカバー部材６ｂが取り付けられている。眼ガラス８の内側には、面体７の一部分であって、着用者の顔面５に前方からフィット可能な環状の前方周縁部１１とノーズカップ１２とが見えている。ノーズカップ１２には、吸気用逆止弁１３が取り付けられている。なお、図示されてはいないが、カバー部材６ｂの内側には排気用逆止弁が設けられている。また、カバー部材６ｂの内側には、必要に応じて伝声器を取り付けることができる。フィルタユニット６ａは円盤状のもので、径方向の中心から偏倚した位置には、眼ガラス８に取り付けられた吸気パイプｓに嵌合可能な通気性の連結パイプｔがある。フィルタユニット６ａは、連結パイプｔを中心に矢印Ｄ１で示す方向へ旋回可能なものであるが、防護マスク１が着用されているときには、視界の妨げとなることがないように、図１の如く防護マスク１の後方に向かって旋回させてある。
【００２０】
防護服２は、それを防護マスク１と併用することによって、着用者の皮膚や頭髪、着衣が外気に曝されたり、外気に含まれる粉塵等の有害物質に接触したりすることを防止することができる。図１において、防護服２は、上半身と下半身とのほぼ全体を被覆することのできる身体被覆部２２を有し、その身体被覆部２２には、頭部を被覆するためのフード２１が含まれている。防護服２はまた、ジップファスナ等の開閉手段を使用して着用することができるものであるが、その手段の図示は省略されている。図示例の着用者は、防護服２の他に、手袋２３や長靴２４を着用している。
【００２１】
図３は、シール具３の使用状態を示す図２と同様な図であるが、図中の防護服２は一部分が破断された状態で示されている。防護マスク１では、面体７と眼ガラス８とを一体的に保持するためのサッシュ部材９がＡＢＳ樹脂やナイロン樹脂等の硬質プラスチックで形成されていて、弧を画く頂辺１０ａと、角部１０ｂとを有する。面体７は、眼ガラス８の外側から透視されていて、防護マスク１の後方から前方に向かって内径が広がる前方周縁部１１と、前方から後方に向かって内径が広がって、顔面５の周囲に対して前方から気密状態で当接可能な後方周縁部１４とを有する。後方周縁部１４には、防護マスク１におけるヘッドバンド１６に取り付けられたバックル１７を離脱可能に係合させるための係合部１８が形成されている。防護マスク１の横方向Ｂの中央部では、上下方向Ｃへの往復旋回運動ができるようにサッシュ部材９に取り付けられている連結環１９に対して、ヘッドバンド１６のうちのセンターヘッドバンド１６ｃが連結されている。連結環１９は、金属製線材がほぼ台形を画くように曲げられたものであって、横方向Ｂの寸法が小さい前方部分（図示せず）と横方向Ｂの寸法が大きい後方部分１９ｒとを有する。
【００２２】
防護服２のフード２１において着用者の顔面５を露出させるための前方開口部２５を画成している前方開口周縁部２６では、前方開口周縁部２６の一部分を折り返すことによって形成されたスリーブ２７の内側にひも状の弾性部材２８が伸長状態で納められていて、前方開口部２５を一周している。したがって、防護マスク１を着用した後に、フード２１で頭部を覆い、前方開口周縁部２６を図示例の如く防護マスク１の後方周縁部１４に重ねると、前方開口周縁部２６は、後方周縁部１４に対してその外側から弾性的に接触することが可能である。ただし、弾性部材２８の収縮によって生じる前方開口周縁部２６のギャザー２９や面体７におけるヘッドバンド１６等の存在によって、前方開口周縁部２６と後方周縁部１４とを気密状態となるように重ね合せることは難しい。
【００２３】
シール具３は、そのような場合に使用するのが好ましいものであって、長さ方向にも幅方向にも弾性変形することができるように合成ゴムや天然ゴム等の弾性材料で形成されていて、その長さ方向をサッシュ部材９の周方向へ延ばすことができる。長さ方向の両端部それぞれには、両端部を離脱可能に係合させるためのボタン３１とボタン穴３２とのそれぞれが形成されている。すなわち、ボタン３１のボタン穴３２に対する挿入と抜脱とによって、シール具３を環状にしたりその環状を解いて帯状にしたりすることができる。
【００２４】
図４は、防護マスク１における連結環１９から外したシール具３を平面上に置いたときの斜視図であって、シール具３はそれに対する伸長力等の外力を加えられることのない自然状態にある。図４の（ａ）は、シール具３の使用時における外面側を示す図であり、（ｂ）はその反対側である内面側を示す図と、その内面側の一部分を拡大して示す図である。図４の（ａ）において、ボタン３１をボタン穴３２に挿入してシール具３を環状にしたときに互いに当接するボタン３１の周面の部位とボタン穴３２の周面の部位とを結ぶ直線の長さはシール具３の長さＬであり、その長さＬを二等分する中心線はＱ−Ｑである。また、その直線の延びる方向はシール具３の長さ方向であり、図ではその長さ方向が防護マスク１の横方向Ｂに一致している。また、シール具３の幅方向は、図示した前後方向Ａに一致している。前後方向Ａと横方向Ｂとに直交する方向は、シール具３の厚さ方向である。
【００２５】
シール具３の平面形状は、帯状のものであるが、図では防護マスク１の前方に向かって凸となる部位３ａと後方に向かって凸となる部位３ｂとが交互に並ぶように湾曲を繰り返していて、中心線Ｑ−Ｑに関して対称となる曲線を画いている。このようなシール具３の形状は、シール具３を面体７の後方周縁部１４やサッシュ部材９に沿わせることが容易となるように、これら後方周縁部１４やサッシュ部材９の形状に応じて適宜決めることができる。例えば、シール具３は、湾曲を繰り返すのものではなくて、仮想線４で示されるような屈曲を繰り返すものである場合がある。
【００２６】
図示例において、シール具３の長さＬは、環状にしたときのシール具３が、着用している防護マスク１の後方周縁部１４に重なるフード２１の前方開口周縁部２６と、防護マスク１のサッシュ部材９とに対して弾性的に伸長した状態で圧接できる寸法に調整されている。例えば、図３のシール具３では、その長さＬが、面体７において前方から後方に向かって内径と外径とが広がる後方周縁部１４の外側の周囲長のうちの最小のものよりも短くしてある。
【００２７】
また、図４の（ｂ）において、防護マスク１の前後方向Ａは、シール具３の幅方向であって、その幅方向には、横方向Ｂへ延びる前方厚肉部３３と、前方薄肉部３４と、後方厚肉部３５と、後方薄肉部３６とが並んでいて、前方厚肉部３３と後方厚肉部３５との間には溝部３８が形成されている。溝部３８は、シール具３の外形と同様に、中心線Ｑ−Ｑに関して対称な曲線を画き、凸となる部位３８ａと凹となる部位３８ｂとが交互に並んでいる。また、中心線Ｑ−Ｑ上には防護マスク１に対しての取り付け部となる突起部３７が形成されている。突起部３７は、シール具３において一体的に形成されていてもよいし、発泡ウレタン樹脂等の柔軟弾性材料またはＡＢＳ樹脂等の硬質材料で形成されたものがシール具３に固定されているものであってもよい。好ましい突起部３７は、連結環１９の内側形状に相似であり、その内側に対して突起部３７を弾性変形させたり、連結環１９を弾性変形させたりしながら挿抜することができる。挿入したときには、シール具３が図４の（ａ）における前後方向を防護マスク１の前後方向Ａに一致させて防護マスク１に取り付けられた状態になる。このように作用する突起部３７は、シール具３の防護マスク１に対する前後方向Ａと横方向Ｂとの位置決め手段となると同時に、シール具３が防護マスク１において前後方向Ａや横方向Ｂに不必要に動くことを抑える固定手段ともなる。図４に例示のシール具３の断面形状は、図示例の防護マスク１に好適な断面形状の一例である。ただし、本発明に係るシール具には、図示例に限定されることなく適宜の断面形状を採用することができる。
【００２８】
図４のシール具３を防護マスク１と防護服２とに対して使用するには、次の手順による。まず、図１において、着用者が防護マスク１と防護服２とを例示の如く着用し、フィルタユニット６ａを図２の矢印Ｄ１で示す方向へ旋回させて、図３の状態にする。次いで、シール具３の突起部３７を連結環１９に挿入する。さらに、シール具３の両端部それぞれを持ち、長さ方向に引張りながらシール具３の溝部３８をサッシュ部材９の頂面部９ａに沿わせ、シール具３をカバー部材６ｂの下方にまで弾性的に伸長させ、その下方においてボタン３１をボタン穴３２に挿入する（図１参照）。シール具３は、ボタン３１をボタン穴３２に挿入することができるところまで伸長すると、シール具３の凹となる部位３ｂと溝部３８の凹となる部位３８ｂとがサッシュ部材９の角部１０ｂに一致して、伸長状態にあるシール具３が角部１０ｂの内側へ侵入することを抑えられるので、シール具３が角部１０ｂの内側で眼ガラス８を広く覆うことによって防護マスク１の視野を狭くする、という問題の発生を防ぐことができる。最後に、フィルタユニット６ａを矢印Ｄ２（図３参照）で示す方向へ旋回させて、図１の状態にする。
【００２９】
図５は、図２のＶ−Ｖ線切断面を模式的に示す図である。図２において、ボタン３１がボタン穴３２に挿入されたシール具３は、溝部３８とサッシュ部材９とが嵌合した状態にあって、前方厚肉部３３がサッシュ部材９の前面部９ｂに対して眼ガラス８の前方から当接する一方、前方薄肉部３４はサッシュ部材９の頂面部９ａに密着する。また、後方厚肉部３５は、サッシュ部材９の後面部９ｃと、面体７における後方周縁部１４との間に進入するように変形して、後方薄肉部３６がフード２１のうちで後方周縁部１４に重なっている部位である前方開口周縁部２６に対して前方開口部２５の径方向の外側から圧接する。その圧接によって、シール具３と前方開口周縁部２６との密着および／または防護マスク１における後方周縁部１４とそれに重なる前方開口周縁部２６との密着が可能になる。さらに好ましい場合においては、密着するものどうしが気密状態で密着する。図示例の場合ではまた、防護マスク１の前後方向Ａにおいて、シール具３がフード２１の前方開口周縁部２６に密着しているとともに、前方開口周縁部２６の前方に位置する防護マスク１のサッシュ部材９にも密着しているから、フード２１の前方開口部２５からの外気の侵入を確実に防ぐことができる。
【００３０】
このように作用するシール具３は、それを長さ方向と幅方向とにおいて弾性変形させることによって防護マスク１やフード２１に対して圧接させ、その圧接によってフード２１についての気密性を高めようとするものであるから、面体７やサッシュ部材９、フード２１等の部材のいずれかが粘着テープを止着させることが実質的な意味において不可能であって、粘着テープではフード２１を気密状態にすることが困難である場合、例えばその部材がシリコンゴムで形成されている場合や、部材の表面が雨水等で濡れていたりする場合であっても、フード２１の気密性を高めることが可能になる。シール具３はまた、それが圧接している面体７やフード２１の少なくとも一部分を透視することのできる透明な材料、例えば透明なシリコンで形成されていると、シール具３が圧接している部位における面体７やフード２１の状態の良否を、例えば作業者どうしが目視で判断できるようになる。その状態が良好でないという場合には、ボタン３１をボタン穴３２から外してシール具３を弛緩状態に戻してフード２１の状態を修正することができる。このような場合において、シール具３には、それを繰り返し使用することができるという利点があると同時に、繰り返し使用してもフード２１に破損等の損傷を与えることがないという利点がある。
【００３１】
また、シール具３を使用して防護マスク１と防護服２とを着用した着用者は、頭部を含む上半身と下半身とを外気や外気に含まれる有害物質に対して曝すことなく作業することができる。作業終了後のシール具３は、防護マスク１から外して洗滌すれば再利用することができ、廃棄物として処分する必要がない。シール具３はまた、突起部３７を有し、その突起部３７の形状はシール具３の前後方向を判別することができるように形成されているから、防護マスク１に対する取り付け位置や方向を間違えることがない。シール具３はさらにまた、一方の端部に、その端部を摘み易くすることのできるボタン３１を有し、もう一方の端部には、指先の滑り止めとなる複数個の小突起３９（図３，４参照）を有するから、シール具３は扱い易いものになり、着用者がシール具３の使用方法を会得すれば自分一人でシール具３を着用することも可能になる。
【００３２】
図６は、図４のシール具３とは異なる態様のシール具２０３の斜視図である。シール具２０３は、天然ゴムや合成ゴム等の弾性材料を使用して帯状に形成されていて、両端部のそれぞれにはボタン２３１とボタン穴２３２とが形成されている。また、長さ方向の中央部には、防護マスク２０１（図７参照）に対する取り付け部２３７とアーム部２３８とが形成されている。シール具２０３は、図４に例示のシール具３と異なり、幅と厚さとが一様なもので、長さ方向において湾曲することなく直状に延びている。
【００３３】
図７は、図６のシール具２０３が防護服２０２の前方開口周縁部２２６に圧接している部位を示す図５と同様な図である。シール具２０３は、サッシュ部材２０９よりも後方に位置していて、図示してはいないが、ボタン２３１がボタン穴２３２に挿入されている。防護服２０２における前方開口周縁部２２６は、シール具２０３の圧接している部位が防護マスク２０１における後方周縁部２１４に重なっている。シール具２０３はまた、防護服２０２の前方開口周縁部２２６よりも前方に位置する部分の後方周縁部２１４において防護マスク２０１に対して圧接しているが、サッシュ部材２０９には圧接することのない態様にある。ただし、防護マスク２０１のサッシュ部材２０９には、シール具２０３の突起部２３７を挿入することができる嵌合孔（図示せず）が形成されている。
【００３４】
図７の如く使用されるシール具２０３は、図２，７に例示の如きサッシュ部材９，２０９を持たない防護マスクに対して使用することもできる。
【００３５】
これまでの図示例における防護マスク１は、防じんマスクとして説明されているが、本発明はその他の種類のマスク、例えば防毒マスク等に対しても実施可能である。また、本発明に係るシール具の使用対象となる防護マスクの眼ガラスとサッシュ部材とは、図示例の形状に限定されるわけではなく、円形や楕円形、長円形，矩形等の適宜の形状をとることができる。また、防護マスクにおけるシール具の取り付け部位も、図示例の連結環１９に限定されるわけではない。その取り付け部位は、任意に選ぶことができる。シール具の両端部を連結するための手段は、ボタンとボタン穴とに限定されるわけではない。これらに代わる適宜の手段の採用が可能である。本発明に係るシール具はまた、図４に例示の如き湾曲を繰り返すものではあっても、溝部を持たない態様で実施することができる。シール具はさらにまた、図６に例示の如く直状に延びるものであって、図４に例示の如く溝部を有する態様で実施することもできる。
【００３６】
上述の如き本発明は、少なくとも下記のように整理することができる。
前後方向を有し、後方に向かって延びる面体の後方周縁部を顔面に当接させて着用した防護マスクと、顔面を露出させるためのフードの前方開口周縁部を前記後方周縁部に重ねて着用した防護服とに対して使用されて、前記後方周縁部と前記前方開口周縁部とを密着させることのできる防護マスク用のシール具であって、
前記シール具は、長さ方向と幅方向と厚さ方向とを有し、前記長さ方向において湾曲と屈曲とのいずれかを繰り返す帯状のものであって、前記長さ方向と前記幅方向とにおいて弾性的に伸長収縮可能かつ前記長さ方向の両端部が互いに離脱可能に係合して環状になるものであり、
前記シール具はまた、前記防護マスクの所要部位に取り付け取り外し可能に形成されていて、前記所要部位に取り付けた状態で前記環状になると、前記幅方向において、前記防護マスクの前記後方周縁部に重なる前記防護服の前記前方開口周縁部と前記前方開口周縁部の前方に位置する前記防護マスクの一部分とに対して前記前方開口周縁部の径方向の外側から弾性的な収縮力の作用下に圧接できることを特徴とする前記シール具。
【００３７】
上記の如く整理された本発明に係る防護マスク用のシール具は、少なくとも下記の実施の形態を含むことができる。
（１）前記両端部のうちの一方にはボタンが形成され、前記両端部のうちのもう一方には前記ボタンに対するボタン穴が形成されていて、前記ボタンと前記ボタン穴とによって前記両端部を係合させると前記環状になる。
（２）前記防護マスクの前記一部分が前記防護マスクにおける眼ガラスの周縁部に取り付けられているサッシュ部材である。
（３）前記防護マスクの前記一部分が前記防護服の前記前方開口周縁部よりも前方に位置する前記防護マスクの前記後方周縁部である。
（４）前記シール具は、前記サッシュ部材が嵌合可能な溝部を有する。
（５）前記シール具には、前記防護マスクの前記所要部位に対しての取り付け部が形成され、前記防護マスクのヘッドバンドに対して使用されている連結環に対して前記取り付け部が挿入可能である。
（６）前記シール具は、それが圧接している前記防護服の前記前方開口周縁部を透視することができるように、少なくとも一部分が透明である。
【符号の説明】
【００３８】
１    防護マスク
２    防護服
３    シール具
５    顔面
７    面体
８    眼ガラス
１４    後方周縁部
２５    前方開口部
２６    前方開口周縁部
３１    ボタン
３２    ボタン穴
３７    取り付け部（突起部）
２０１    防護マスク
２０２    防護服
２０３    シール具
Ａ    前後方向
Ｂ    横方向
Ｃ    上下方向
【図１】
2015167661.tif 000003
【図２】
2015167661.tif 000004
【図３】
2015167661.tif 000005
【図４】
2015167661.tif 000006
【図５】
2015167661.tif 000007
【図６】
2015167661.tif 000008
【図７】
2015167661.tif 000009